(57)【要約】【課題】商品本来の商品識別機能を発揮することができ、かつ、顧客の要望に応じて商品の包装容器を簡易かつ迅速に加工することのできる包装容器の加工方法、包装容器の加工データ作成システムおよび包装容器を提供する。【解決手段】表面の所定の位置に予め商品ラベル１１が設けられるとともに、内容物が収容された商品の包装容器１０に、密着剥離自在に形成されたマスキングシートを密着させ、所定の加工データに基づく画像２０が商品ラベル１１に対して、商品ラベル１１の貼付位置を除く所定の位置に配置されるように、レーザ加工機械５０によりマスキングシートを介して包装容器１０にレーザ加工を施して画像２０を刻印し、包装容器１０の表面に密着されたマスキングシートを剥離する。【選択図】図１
2007320157.tif 000002
【特許請求の範囲】
【請求項１】
表面の所定の位置に予め商品ラベルが設けられるとともに、内容物が収容された商品の包装容器を加工する包装容器の加工方法であって、
密着剥離自在に形成されたマスキングシートを前記包装容器の前記商品ラベルを含む表面に密着させ、
所定の加工データに基づく画像が前記商品ラベルに対して、前記商品ラベルの貼付位置を除く所定の位置に配置されるように、レーザ加工機械により前記マスキングシートを介して前記包装容器にレーザ加工を施して画像を刻印し、
前記包装容器の表面に密着された前記マスキングシートを剥離すること、
を特徴とする包装容器の加工方法。
【請求項２】
請求項１記載の包装容器の加工方法において、
前記レーザ加工により前記画像を前記包装容器に刻印した後に、画像が刻印された箇所に着色を施し、その後、前記包装容器の表面に密着された前記マスキングシートを剥離すること、
を特徴とする包装容器の加工方法。
【請求項３】
コンピュータシステムにより、表面の所定の位置に予め商品ラベルが設けられるとともに、内容物が収容された商品の包装容器に加工を施すための加工データを作成する包装容器の加工データ作成システムであって、
顧客に対して、前記商品の商品名の一覧を提示する段階と、
前記顧客から包装容器に加工を施す商品の商品名の指定を受ける段階と、
前記顧客から前記包装容器に刻印する画像の指示を受ける段階と、
前記顧客により指定された商品の包装容器の形状および前記商品ラベルの位置に基づき前記包装容器に画像を刻印する位置が前記商品ラベルに対して、前記商品ラベルの貼付位置を除く所定の位置に配置されるように位置決めする段階と、
コンピュータ制御されるレーザ加工機械を用いて、前記顧客の指示に基づく画像を前記所定の位置にレーザ加工により刻印するための加工データを作成する段階と、
を備えたことを特徴とする包装容器の加工データ作成システム。
【請求項４】
表面の所定の位置に予め商品ラベルが設けられるとともに、内容物が収容された商品の包装容器において、
所定の加工データに基づく画像が前記商品ラベルに対して、前記商品ラベルの貼付位置を除く所定の位置に配置されるように、レーザ加工機械により前記包装容器にレーザ加工を施すことにより画像が刻印されたこと、
を特徴とする包装容器。
【請求項５】
請求項４記載の包装容器であって、
前記商品は、所定の商品又は役務の需用者あるいは所定のイベントの参加者に対する提供品ないしは、特定の者に対する贈答品として提供されるものであって、
当該包装容器は、前記需用者、前記参加者又は前記特定の者、ないしは前記商品、前記役務又は前記イベントに関する所定の数字を暗証番号として施錠された箱に収容されていること、
を特徴とする包装容器。
【発明の詳細な説明】
【技術分野】
【０００１】
本発明は、レーザ加工技術を用いて加工を施す包装容器の加工方法、当該加工方法により加工された包装容器および包装容器の加工データ作成システムに関する。
【背景技術】
【０００２】
従来、ワインボトル等の包装容器にはワイン等の内容物の商品名や商標等が記載されたワインラベル等の商品ラベルがワイン製造者等により需用者の目の付きやすい位置に貼付されている（例えば、特許文献１参照）。
また、ワイン等は、冠婚葬祭等のイベントの記念品等として提供されることも多く、そのような場合に、例えば、サンドブラスト加工によりワインボトルに特別な彫り模様を施すことも行われている（例えば、特許文献２参照）。このような彫り模様をワインボトルに施したワインを、例えば、結婚記念日等に用意すれば、記念日等をより効果的に演出することができ、また、車のディーラやホテル等の商品や役務の提供者が高級車の購入者やスイートルームの宿泊者等のハイクラスな商品または役務の需要者に記念品等として用意すれば、需要者に、当該需要者が特別な顧客であることを示すとともに、商品や役務の有する高級感を印象付ける演出効果も期待できる。
【特許文献１】特開２００５−５９９０２号公報
【特許文献２】特開２００２−１２７６９２号公報
【発明の開示】
【発明が解決しようとする課題】
【０００３】
ところで、上記特許文献２では、彫り模様をワインボトルに施す際に、刻印を施す箇所に研磨材を吹き付け可能となるように透過部を設けたプリントマスクを作成する必要があった。このプリントマスクを作成するにはＯＨＰシートにまず一次画像を印刷し、その後、このＯＨＰシートを用いてプリントマスクの感光層を感光させるなどして、プリントマスクに一次画像のネガポジを反転させた二次画像を形成する必要があった。例えば、結婚式の列席者毎に各列席者の氏名を刻印する場合や、高級車の購入者の氏名を購入者毎に刻印する場合等、大量の需要があるにも拘わらず、ワインボトルの一本一本に異なる内容のデザインを刻印しなければならない場合には非常に手間のかかる作業となっていた。
【０００４】
また、サンドブラスト加工では、研磨材をプリントマスクを介してワインボトルに吹き付けることにより刻印を行うため、彫り模様の微細度に応じて研磨材の粒度を選別する必要があり、線の細い微細な彫り模様を施すのは困難であった。このため、例えば、特許文献２に記載されるように、ワインラベルを剥がして、サンドブラスト加工を施すために十分な面積を確保する必要があった。しかしながら、ワインラベルは、商品であるワインの銘柄名、原材料であるぶどうの収穫年、商標、生産国等を表示する他、高級ワインであれば地方名や村名、ぶどう品種名、そのワインの格付け等も表示され、ワインを識別するための重要な指標となっている。このため、ワインラベルを剥がしてしまうと、商品本来の識別機能を発揮することができず、高級ワインを用いたことによる視覚的な効果を得ることができなくなってしまう。また、酒税法の規定により、ワインラベルを剥がして上述のような彫り模様を施すことは禁止されており、ワイン製造者等からワインラベルが貼付されていないワインを購入し、そのワインボトルに彫り模様を施す必要があった。
本発明の課題は、商品本来の商品識別機能を発揮することができ、かつ、顧客の要望に応じて商品の包装容器を簡易かつ迅速に加工することのできる包装容器の加工方法、包装容器の加工データ作成システムおよび包装容器を提供することにある。
【課題を解決するための手段】
【０００５】
上記課題を解決するため、本発明の包装容器の加工方法は、表面の所定の位置に予め商品ラベルが設けられるとともに、内容物が収納された商品の包装容器を加工する包装容器の加工方法であって、密着剥離自在に形成されたマスキングシートを前記包装容器の前記商品ラベルを含む表面に密着させ、所定の加工データに基づく画像が前記商品ラベルに対して、前記商品ラベルの貼付位置を除く所定の位置に配置されるように、レーザ加工機械により前記マスキングシートを介して前記包装容器にレーザ加工を施して画像を刻印し、前記包装容器の表面に密着された前記マスキングシートを剥離することを特徴とする。
【０００６】
この包装容器の加工方法によれば、商品の包装容器の表面の所定の位置に予め設けられた商品ラベルを剥がすことなく、所定の加工データに基づく画像が商品ラベルに対して、商品ラベルの貼付位置を除く所定の位置に配置されるように、レーザ加工により画像が直接刻印されている。このため、商品本来の商品識別機能を発揮することができるとともに、画像を刻印するためのプリントマスクを一つ一つ作成する必要がなく、顧客の要望に応じて簡易かつ迅速に包装容器を加工することができる。また、密着剥離自在なマスキングシートを包装容器の表面に商品ラベルも覆うように密着させているので、画像を刻印する際に商品ラベルに傷が付くのを防止することができる。また、レーザ加工により画像を刻印するので、線の細い微細な加工が可能となる。
【０００７】
また、上記包装容器の加工方法において、前記レーザ加工により前記画像を前記包装容器に刻印した後に、画像が刻印された箇所に着色を施し、その後、前記包装容器の表面に密着された前記マスキングシートを剥離してもよい。
このように、画像を包装容器に刻印した後にスプレー等で画像が刻印された箇所に着色すれば、画像の刻印部分にのみ着色することができ、着色を行うために新たにマスキングテープを貼付する必要がなく、手間を省力することができる。
【０００８】
また、本発明の包装容器の加工データ作成システムは、コンピュータシステムにより、表面の所定の位置に予め商品ラベルが設けられるとともに、内容物が収容された商品の包装容器に加工を施すための加工データを作成する包装容器の加工データ作成システムであって、顧客に対して、前記商品の商品名の一覧を提示する段階と、前記顧客から包装容器に加工を施す商品の商品名の指定を受ける段階と、前記顧客から前記包装容器に刻印する画像の指示を受ける段階と、前記顧客により指定された商品の包装容器の形状および前記商品ラベルの位置に基づき前記包装容器に画像を刻印する位置が前記商品ラベルに対して、前記商品ラベルの貼付位置を除く所定の位置に配置されるように位置決めする段階と、コンピュータ制御されるレーザ加工機械を用いて、前記顧客の指示に基づく画像を前記所定の位置にレーザ加工により刻印するための加工データを作成する段階とを備えたことを特徴とする。
【０００９】
また、本発明の包装容器は、表面の所定の位置に予め商品ラベルが設けられるとともに、内容物が収容された商品の包装容器において、所定の加工データに基づく画像が前記商品ラベルに対して、前記商品ラベルの貼付位置を除く所定の位置に配置されるように、レーザ加工機械により前記包装容器にレーザ加工を施すことにより画像が刻印されたことを特徴とする。
【００１０】
上記構成の包装容器において、前記商品は、所定の商品又は役務の需用者あるいは所定のイベントの参加者に対する提供品ないしは、特定の者に対する贈答品として提供されるものであって、当該包装容器は、前記需用者、前記参加者又は前記特定の者、ないしは前記商品、前記役務又は前記イベントに関する所定の数字を暗証番号として施錠された箱に収容されていてもよい。
【発明の効果】
【００１１】
本発明によれば、商品本来の商品識別機能を発揮することができ、かつ、顧客の要望に応じて商品の包装容器を簡易かつ迅速に加工することができる。
【発明を実施するための最良の形態】
【００１２】
以下、図面を参照して本発明の実施の形態を説明する。
図１に、本発明の実施の形態に係る包装容器であるワインボトル１０の外観を示す。本実施の形態のワインボトル１０はガラス瓶等から形成されたもので、商品としてのワインが充填されている。図１に示すように、ワインボトル１０の胴部の前面には、ワイン製造者により貼付され、ワインの銘柄（商品名）、商標、シャトー名、ぶどうの収穫年、格付け、原産国等が表示されたワインラベル１１が所定の位置に設けられている。また、ワインボトル１０の胴部の背面には、商品名、品名、原産国、輸入者、容量、アルコール分（含有率）等が表記された背面ラベル（図示略）が貼付されている。また、ワインボトル１０の口１０ａは図示しないコルクで栓がされている。そして、ワインボトル１０の口１０ａおよびネック１０ｂはフォイル１２で全面的に覆われており、フォイル１２の端部１２ａにはネックラベル１３が貼付されている。また、フォイル１２には商品名が記載されている。
【００１３】
本実施の形態のワインボトル１０には、ネックラベル１３とワインラベル１１との間に、所定の画像２０（但し、文字を含む）がレーザ加工により刻印（カッティング）されている。この画像２０（以下、「刻印画像２０」という）は、図示する通り、ネックラベル１３およびワインラベル１１が貼付されていない、ワインボトル１０の本体部分に形成されるもので、ネックラベル１３およびワインラベル１１に対して所定の位置に配置されている。
【００１４】
図１に示す例では、ワインラベル１１は鉛直方向における中心線に対して左右対称の形状となっており、ネックラベル１３についても同様に、鉛直方向における中心線に対して左右対称の形状となっている。ワインラベル１１およびネックラベル１３は、それぞれの中心線が一致するように、かつワインボトル１０の鉛直方向の中心軸Ａに平行になるようにしてワインボトル１０に貼付されている。そして、刻印画像２０についても、ワインラベル１１の鉛直方向における中心線が、ワインラベル１１およびネックラベル１３の中心線と一致するように位置決めされて、ワインボトル１０に形成されている。
【００１５】
刻印画像２０は、例えば、図１（図８参照）に示すように、特定の文字、数字、図形、記号等を適宜組み合わせてデザイン化したもので、顧客の用途等によって異なるデザインとなる。
特定の用途として、例えば、車のディーラ、ホテルなどの所定の商品又は役務の提供者が、車の購入者、ホテルの宿泊者などがその商品又は役務の需用者にノベルティーあるいは記念品などとして提供するための用途、冠婚葬祭、その他各種パーティなど、イベントの主催者などがイベントの参加者に贈答品、記念品などとして提供する用途、誕生日、母の日、父の日、敬老の日、結婚記念日、クリスマスなど、特定の日に特定の者に対して贈答品、記念品などとして提供する用途などがある。
【００１６】
そして、このワインを、例えば、車のディーラ等が車の購入者に対して車の購入に対する記念品などとして用いる場合には、購入者の氏名、車の登録番号など購入者の個人的な事項に関する文字や数字等と、購入した車種名、メーカー名、あるいは商標など商品に関する文字、数字、記号、図形等と、を他の装飾模様などとともにデザインとして一体化したようなデザインを刻印画像２０のデザインとすることができる。
【００１７】
また、このワインを、例えば、ホテルの宿泊者に対して、ホテルの宿泊に対する記念品などとして用いる場合には、宿泊者の氏名、宿泊年月日など宿泊者に関する事項と、ホテルの名称、商標などホテルに関する事項とを他の装飾模様などとともにデザインとして一体化したようなデザインを刻印画像２０のデザインとすることができる。
【００１８】
また、例えば、結婚式の参列者に対して、引き出物あるいは披露宴などにおける飲用として当該ワインを用いる場合には、結婚式を挙げた当事者の氏名ないしは参列者の氏名、結婚式場あるいは披露宴会場の名称、商標等、結婚式の年月日等を他の装飾模様などとともにデザインとして一体化したようなものを刻印画像２０のデザインとすることができる。
【００１９】
すなわち、ワインを所定の商品又は役務の提供者がその需用者に提供するような場合、刻印画像２０のデザインは、需用者の氏名等の需用者に関する事項や、当該商品又は役務の提供者の名称、商品又は役務に使用される商標等、当該商品又は役務に関する事項を主体としたデザインとすることができる。
【００２０】
また、当該ワインを冠婚葬祭や各種パーティ、見本市などのイベント主催者がその参加者に提供するような場合、刻印画像２０のデザインは、イベント参加者の氏名等のイベント参加者に関する事項や、イベント主催者の氏名、名称等、イベント主催者に関する事項、あるいはイベント年月日、イベント会場などのイベントに関する事項を主体としたデザインとすることができる。
【００２１】
また、当該ワインを、例えば、誕生日、母の日、父の日、敬老の日、結婚記念日、クリスマスなどの特定の日に特定の者に提供されるような場合には、贈答品が贈られる特定の者の氏名等の特定の者に関する事項や、贈答品が贈られる者に対するメッセージ等を主体としたデザインとすることができる。
【００２２】
このように、製造者などによりワインボトル１０に予め貼付されたワインラベル１１等を残した状態で、ワインラベル１１等に対して所定の位置に刻印画像２０を設けることにより、ワイン本来の商品識別機能をワインラベル１１等により発揮させることができ、ワイン自体が有する商品価値を維持した状態で、さらに刻印画像２０により付加価値を与えて、商品価値を向上させることができる。
【００２３】
以上のような刻印画像２０がワインボトル１０に設けられたワインは、図２に示すように、錠４０が施錠された外側から内部を視認できない木製箱３０に収容されて、上記の所定の商品または役務の需用者、あるいはイベントの参加者、ないしは特定の者に提供される。
錠４０は、本実施の形態では、例えば、４桁の数字を合わせることにより解錠できるダイアル式の錠４０が用いられている。
【００２４】
錠４０を解錠／施錠するための暗証番号として用いられる４桁の数字の組み合わせは、例えば、上記の所定の商品又は役務の需用者、イベントの参加者、贈答品が贈られる特定の者あるいは、所定の商品又は役務、イベントに関する特定の数字などに基づいて定められる。具体的には、車の購入者に対しては、購入者の生年月日、車の購入年月日、車の登録年月日、車の登録番号等がある。なお、暗証番号の桁数は４桁に限られるものではなく、任意の桁数の暗証番号に対応する錠を用いることが可能である。
【００２５】
このように、ワインボトル１０を施錠された木製箱３０に収容して、解錠して初めてワインボトル１０に刻印された自己の氏名等を視認できるようにすることで、ワインを受け取った者に刻印画像２０をより深く印象付けることができ、ワイン自体の商品価値に加えて、ギフトなどの用途としての商品の付加価値をより高めることができる。
【００２６】
本実施の形態では、例えば、ワインボトル１０に上記の刻印画像２０をレーザ加工により形成するために、図３に示すレーザ加工機械５０を用いる。
レーザ加工機械５０は、レーザ加工機械５０の全体をコンピュータ制御するためのコントローラ５１と、加工対象物であるワインボトル１０を保持するための治具５２と、コントローラ５１の制御下でパルスレーザ光を出力するレーザユニット５３と、コントローラ５１の制御下でレーザユニット５３を駆動するためのレーザドライバ５４と、レーザユニット５３のパルスレーザ光出力動作と同期して治具５２を回転駆動させるためのロータリドライバ５５と、ユーザであるオペレータが各種操作を行うための操作ユニット５６と、各種情報を表示するためのディスプレイ５７と、を備えて構成されている。
【００２７】
ここで、レーザユニット５３は、図示しない、レーザ発振器、光学系、赤外線レーザーポインタ、レーザの照射位置を機械的に変更するための駆動機構系などを備えるもので、例えば、照射位置を変更可能な機構を有する炭酸ガスレーザ装置、ＹＡＧレーザ装置などを適用することができる。
【００２８】
レーザ発振器は所定の波長のパルスレーザ光を発振するもので、レーザ発振器から発振されたパルスレーザ光は光学系により所定の照射位置に焦点が合わせられる。本実施の形態では、パルスレーザ光のビームスポット径は、例えば、７０ミクロン、１３０ミクロン、１８０ミクロン、３３０ミクロンなどとすることができ、集光レンズを適宜取り換えることによりビームスポット径を変更できるようになっている。また、焦点距離又はレーザ出力を調整することにより、ワインボトル１０に刻印する線又は点の太さ又は径を変更することができる。但し、本実施の形態において、レーザ出力は２５Ｗ〜１２０Ｗの範囲で可変である。
【００２９】
また、赤外線レーザーポインタは、パルスレーザ光と同軸上に光源が設置されたもので、視認できないパルスレーザ光に代えて可視光の赤外線によりパルスレーザ光の照射位置を確認できるようにしている。これにより、オペレータはパルスレーザ光の照射位置、すなわちワインボトル１０に対して刻印画像２０を形成する位置を目視により確認することができる。
【００３０】
また、レーザユニット５３は、図示しない駆動系ユニットによりＸ軸方向およびＹ軸方向に走査可能に構成されており、加工対象物の所定の位置にパルスレーザ光を照射できるようになっている。
【００３１】
本実施の形態では、このレーザ加工機械５０を用いて、後述する方法により作成される加工データに従い、次の手順によりワインボトル１０に刻印画像２０をレーザ加工により形成する。
【００３２】
まず、レーザ加工機械５０によるレーザ加工に先立って、オペレータはワインボトル１０の表面に密着剥離自在に形成されたマスキングテープをしわや気泡が含まれれないように密着させ、ワインボトル１０の全面をマスキングテープで被覆する。
【００３３】
ここで、マスキングテープとして、粘着力が弱く、ワインボトル１０及びワインラベル１１等の表面に密着自在、剥離自在に形成された紙製又は布製のテープなど、通常、塗装等の際に用いるマスキングテープや養生テープなどを用いることができる。
このように、マスキングテープをワインラベル１１等を含むワインボトル１０の表面に密着させることで、パルスレーザ光をワインボトル１０に照射する際に生じる粉塵・噴煙などによる傷や汚れからワインボトル１０やワインラベル１１等を保護することができる。
【００３４】
次に、オペレータは、表面にマスキングテープを密着させたワインボトル１０を治具５２により保持させる。治具５２はワインボトル１０のネック部分の大きさやボトム部分の大きさによらず、ワインボトル１０を横向きに倒した状態で、ワインボトル１０の中心軸Ａが水平になるように保持できるように構成されている。そして、ワインボトル１０に貼付されたワインラベル１１等の中心線に基づいて、赤外線レーザーポインタによりパルスレーザ光の照射位置を確認して、刻印画像２０を形成する位置を位置決めする。
【００３５】
続いて、オペレータは、操作ユニット５６を操作し、図示しない外部記憶装置等から取得した加工データをコントローラ５１に読み出させて、ディスプレイ５７に各種情報を表示させるとともに、加工開始の指示の入力を促す表示を行わせる。
【００３６】
ディスプレイ５７の表示に基づいて、オペレータが加工の開始指示を入力すると、コントローラ５１はレーザドライバ５４およびロータリドライバ５５を制御し、レーザユニット５３のパルスレーザ光の照射位置が、所定の加工開始位置となるようにワインボトル１０を回転移動させ、レーザユニット５３を所定の位置に移動させる。
【００３７】
次に、コントローラ５１は、レーザドライバ５４を介してレーザユニット５３を駆動して、パルスレーザ光を出力させ、加工データに基づく刻印画像を形成する。このときのパルスレーザ光の出力は、刻印画像２０の線の微細度によって適切な出力が選定される。
【００３８】
上記のようにして、所定の加工位置にパルスレーザ光を照射させることにより、ワインボトル１０に刻印画像２０を形成した後、オペレータによりワインボトル１０は水洗いされる。これにより、マスキングテープの表面に付着した粉塵などの汚れを落とすとともに、刻印された部分に残存しているマスキングテープを除去する。
そして、刻印画像２０が形成された箇所に、マスキングテープを介して所定の色の顔料インクスプレーを噴射し、刻印部分に着色を施す。
【００３９】
続いて、マスキングテープをワインボトル１０の表面から剥離させ、その後、顔料インクを乾燥させる。以上により、レーザ加工機械５０を用いてレーザ加工によりワインボトル１０に刻印画像２０をワインラベル１１等に対して、ワインラベル１１等の貼付位置を除く所定の位置に形成することができる。
【００４０】
このように、マスキングテープをワインラベル１１等を含むワインボトル１０の表面に密着させることで、ワインラベル１１等に傷や汚れが付着するのを防ぐほか、着色を行うために新たにマスキングテープを貼付する必要がなく、刻印画像２０を形成するための手間を省力することができる。また、従来のサンドブラスト加工などと異なり、デザイン毎に、一つ一つプリントマスクを作成する必要がなく、レーザ加工機械５０により直接所望のデザインの刻印画像２０をワインボトル１０に形成することができるので、顧客の要望に応じて簡易かつ迅速にワインボトル１０に刻印画像２０を形成することができる。
【００４１】
次に、図４を参照して、上記の加工データを作成するための加工データ作成システム６０を説明する。当該加工データ作成システム６０は、顧客端末６１と通信ネットワーク６２を介して接続されるサーバ装置６３とを有している。顧客端末６１およびサーバ装置６３は、パーソナルコンピュータ等の制御装置、演算装置、記憶装置、入力装置、出力装置、外部記憶装置などを備えた汎用コンピュータであり、インターネット等の通信ネットワーク６２に接続可能に構成されたものである。
【００４２】
サーバ装置６３は、制御装置の制御の下、記憶装置又は外部記憶装置に格納された加工データ作成のための制御プログラム等に基づき、記憶装置又は外部記憶装置に格納された各種データに基づき、演算装置に各種演算を行い、顧客端末６１とサーバ装置６３との間でデータの授受を行うことで、図５に示す手順に従って、加工データ作成処理を実行する。
【００４３】
加工データ作成処理の開始にあたって、まず、サーバ装置６３は顧客端末６１を介して顧客に、ワインボトル１０に刻印画像２０を形成することのできるワインの銘柄一覧である銘柄リスト７０を顧客に表示するとともに、いずれかの銘柄のワインの指定を促す表示を行わせる（ステップＳ１）。例えば、銘柄リスト７０は、図６に示すように、刻印画像２０を形成することのできるワインの銘柄をチェックボックスと共に一覧にしたものであり、顧客がいずれかのチェックボックスにポインティングデバイス等の入力装置によりチェックマークを入力させることにより、顧客は所定の銘柄を指定できるようにしたものである。また、例えば、ユーザがワインの銘柄名をポインティングデバイスなどにより指定した場合に、商品の外形、すなわちワインボトル１０の形状やワインラベル１１等の他、ぶどうの収穫年、商標、生産国、格付け等の商品に関する説明等を表示できるように構成されていてもよいし、銘柄リスト７０にこれらの情報を含めても良い。
【００４４】
次に、サーバ装置６３は、顧客端末６１からワインの銘柄の指定の入力を待機し（ステップＳ２）、ワインの銘柄の指定があった場合（ステップＳ２：Ｙ）、そのワインの包装容器の形状およびワインラベル１１、ネックラベル１３、背面ラベル等の位置に基づき定められる画像刻印可能位置を顧客端末６１に表示させる（ステップＳ３）。但し、サーバ装置６３は、記憶装置又は外部記憶装置に予めワインの銘柄毎にワインボトル１０の形状やワインラベル１１等のラベル位置に基づき定めた画像刻印可能位置を対応付けた画像刻印可能位置対応テーブル８０を有している（図７参照）。図７に示す例では、例えば、銘柄「ＡＡＡＡ」のワインＷ1について、そのボトル形状およびラベル位置に基づき画像刻印可能位置Ｐ1、Ｐ2が二箇所対応付けられている。但し、図７において、画像刻印可能位置は実線で示す矩形枠で表示されている。
【００４５】
ワインラベル１１等の位置により画像刻印可能位置が２箇所以上ある場合（ステップＳ４：Ｙ）、顧客端末６１からいずれかの画像刻印可能位置の選択指示を待ち、画像刻印位置をワインラベル１１等に対して、ワインラベル１１等の貼付位置を除く所定の位置に配置されるように位置決めする（ステップＳ５）。
【００４６】
次に、本実施の形態において、サーバ装置６３は、刻印画像２０のデザインの雛形の一覧であるデザインリスト９０を顧客端末６１に表示させる（ステップＳ６）。デザインリスト９０は、例えば、図８に示すように、顧客の要望によって変更可能な文字（メッセージ、氏名、名称、年月日）等と、装飾図形などとを組み合わせて雛形としたものである。図８に示す例では、雛形Ｄ1は、贈る相手の氏名Ｎ1、メッセージＭ1、贈り主の氏名Ｎ2を装飾枠Ｆ1で囲ったデザインとなっており、贈る相手の氏名Ｎ1、メッセージＭ1、贈り主の氏名Ｎ2は顧客の要望によって変更することができる。また、雛形Ｄ2では、贈る相手の氏名Ｎ3、記念日等の年月日ＹＭＤ1、贈り主の氏名Ｎ4と装飾ラインＬ1と組み合わせてデザイン化したものであり、贈る相手の氏名Ｎ3、贈り主の氏名Ｎ4、記念日等の年月日ＹＭＤ1は、顧客の要望によって適宜変更することができる。
【００４７】
をこのデザインリスト９０は、例えば、画像刻印位置における画像の刻印が可能な範囲（大きさ）、あるいはワインボトル１０の形状や、ワインラベル１１等の形状に応じて、デザインリスト９０に含まれる雛形を変更させるようにしてもよい。すなわち、予め、ワインの銘柄と、そのワインボトル１０の形状やワインラベル１１の形状に適したデザインの雛形とを対応付けておき、顧客により指定されたワインの銘柄に応じて、その画像刻印位置に適した雛形の一覧を表示することが好ましい。
【００４８】
次に、サーバ装置６３は、顧客端末６１を介して顧客により雛形の指定を待機し（ステップＳ７）、指定された雛形において顧客により変更可能な文字等の入力を待ち（ステップＳ８）、文字等の入力があった場合（ステップＳ８：Ｙ）、その文字等を雛形に反映させて、顧客の要望に応じた刻印画像デザインを顧客端末６１に表示させる（ステップＳ９）。そして、表示された刻印画像デザインに決定してよいか否かの決定を促す表示を顧客端末６１に行わせる（ステップＳ１０）。
【００４９】
顧客端末６１を介して顧客より表示された刻印画像デザインに決定してもよいとの指示入力があった場合（ステップＳ１０：Ｙ）、サーバ装置６３は、顧客により指示された雛形、文字等に基づく刻印画像２０の大きさを画像刻印位置の画像刻印可能範囲内に収まるように調整し、ワインボトル１０の画像刻印位置に上述したレーザ加工機械５０を用いてレーザ加工により刻印するための加工データを作成する（ステップＳ１１）。
【００５０】
一方、ステップＳ１０において、否と判別された場合（ステップＳ１０：Ｎ）、文字等の変更がある場合（ステップＳ１２：Ｙ）には、文字等の入力画面を顧客端末６１に表示させて文字等の入力を待機し（ステップＳ８）、雛形の変更がある場合（ステップＳ１３：Ｙ）には、デザインリスト９０を顧客端末６１に再度表示させ（ステップＳ６）、画像刻印位置の変更がある場合（ステップＳ１４：Ｙ）には、画像刻印可能位置を顧客端末６１に再度表示させ（ステップＳ３）、上記いずれでもない場合は（ステップＳ１４：Ｎ）、顧客端末６１にワインの銘柄リスト７０を再度表示させて（ステップＳ１）、その後の処理を繰り返し行わせる。
【００５１】
以上の本実施の形態における加工データ作成システム６０によれば、ワインボトル１０に図１に示すような刻印画像２０を形成することのできるワインの銘柄リスト７０を顧客端末６１に表示させ、画像刻印可能位置対応テーブル８０において、そのワインボトル１０に予め貼付されたワインラベル１１等に対して、ワインラベル１１等の貼付位置を除く所定の位置に画像刻印可能位置を設定しているので、商品としてのワイン本来の商品識別機能を発揮するワインラベル１１等を剥がすことなく、ワインボトル１０に刻印画像２０を形成することができる。
【００５２】
また、画像刻印可能位置を予めワインの銘柄毎に設定しておき、顧客の指定するデザインや入力された文字等に基づきワインボトル１０に刻印する画像の指示を顧客端末６１を受信してサーバ装置６３は、画像刻印位置の刻印可能範囲内に収まるように刻印画像２０の大きさを調整し、ワインボトル１０の画像刻印位置に上述したレーザ加工機械５０を用いてレーザ加工により刻印するための加工データを作成するので、顧客の要望に応じて簡易かつ迅速に加工データを作成することができる。そして、この加工データに基づいてレーザ加工機械５０によりワインボトル１０に刻印画像２０をレーザ加工により形成させることができるので、ワインボトル１０の加工を容易にかつ迅速に行うことができる。
【００５３】
但し、本発明は上記実施の形態に限定されるものではなく、本発明の趣旨を逸脱しない範囲において適宜変更可能であるのは勿論である。
例えば、上記実施の形態では、包装容器として、商品としてのワインが充填されたワインボトル１０を例に挙げて説明したが、本発明に係る包装容器はこれに限定されるものではない。例えば、黒ビール、ラガービル、合成ビール、地ビール等各種ビールあるいは、清酒、泡盛、焼酎等の日本酒、ウィスキー、ブランデー、ウォッカ等の洋酒、いちご酒、なし酒、りんご酒等の果実酒、ラオチュー等の中国酒、梅酒、はちみつ酒等の薬味酒等の各種アルコール商品や清涼飲料、果実飲料、飲料用野菜ジュース、乳清飲料等の各種の飲料商品が充填された包装容器であってもよいのは勿論である。但し、ワインは、スティルワイン（赤ワイン、白ワイン、ロゼワイン）、シャンパンなどのスパークリングワインなど、各種のワインを含むのも勿論である。
【００５４】
また、飲料商品に限らず、コーヒー、ココア、茶、和菓子、洋菓子等の各種食品を包装する包装容器、おしろい、化粧水、クリーム、紅、頭髪用化粧品、香水類等の各種化粧品を包装する包装容器等の、各種商品を内容物として収納する商品の包装容器であれば適用することが可能なのは勿論である。この場合において、内容物である商品の態様としては、液体のみならず、固体、粉状、気体など各種態様が可能である。
【００５５】
また、包装容器として、上記実施の形態では、ガラス瓶で形成されたワインボトルについて説明したが、包装容器の材質はガラスに限定されるものではなく、アクリル、金属、皮革、プラスティック等各種素材で形成された包装容器を適用することができる。
【００５６】
また、上記実施の形態では、ワインボトル１０の前面、背面、ネックにラベルが設けられたものを例に挙げて説明したが、ワインボトル１０の前面、背面、ネックの三箇所にそれぞれラベルが設けられている必要はなく、いずれか一箇所にのみラベルが設けられたものであってもよいし、ラベルの貼付位置に限定があるものではない。また、ラベルに表記される内容は特に限定されるものではないのも勿論である。
【００５７】
また、加工データ作成システム６０において、デザインリスト９０を表示させて、所定のデザインを顧客に指定させて、変更可能な文字等の入力を促し、顧客の指示に基づく刻印画像２０をワインボトル１０に形成するものとしたが、例えば、顧客側で作成した画像データを顧客端末６１からサーバ装置６３が受信することにより、顧客側で作成した画像データを画像刻印位置の範囲等に応じて大きさの調整等を行い加工データを作成するようにしてもよい。
【図面の簡単な説明】
【００５８】
【図１】本発明の実施の形態における包装容器の外観構成例を示す図である。
【図２】本発明の実施の形態における包装容器を木製箱に収容させた状態を示す図である。
【図３】本発明の実施の形態におけるレーザ加工機械の構成を示す図である。
【図４】本発明の実施の形態における加工データ作成システムの構成を示す図である。
【図５】本発明の実施の形態における加工データの作成処理に係る処理手順を示すフローチャートである。
【図６】本発明の実施の形態における加工データ作成システムにおいて用いる銘柄リストの構成例を示す図である。
【図７】本発明の実施の形態における加工データ作成システムにおいて用いる画像刻印位置対応テーブルの構成例を示す図である。
【図８】本発明の実施の形態における加工データ作成システムにおいて用いるデザインリストの構成例を示す図である。
【符号の説明】
【００５９】
１０  ワインボトル（包装容器）
１１  ワインラベル（商品ラベル）
１３  ネックラベル（商品ラベル）
２０  刻印画像
３０  木製箱（箱）
４０  錠
５０  レーザ加工機械
６０  加工データ作成システム
６１  顧客端末
６２  通信ネットワーク
６３  サーバ装置
７０    銘柄リスト
８０    画像刻印可能位置対応テーブル
９０    デザインリスト
【図１】
2007320157.tif 000003
【図２】
2007320157.tif 000004
【図３】
2007320157.tif 000005
【図４】
2007320157.tif 000006
【図５】
2007320157.tif 000007
【図６】
2007320157.tif 000008
【図７】
2007320157.tif 000009
【図８】
2007320157.tif 000010